(57)【要約】画像表示面（１１）を有するパネル状の第１の筐体のフレームカバー（１２）と裏面カバー（１３）は、少なくともヒンジ取り付け側の衝合縁部に設けられ、当該衝合縁部間を係合する複数の一次係合手段と、第１の筐体を保持するために第２の筐体（２０）の可動型係止爪（２３）を挿入係止する矩形係止孔（１４）の内部正面に位置し、カバーの一方から他方に向かって延びる可撓性片（１３３）を有し、当該可撓性片の遊端で他方のカバーに係合する二次係合手段を備え、一次係合手段と二次係合手段の両係合によりフレームカバー（１２）と裏面カバー（１３）を結合する嵌合状態とし、一方、矩形係止孔（１４）に治具を挿入して可撓性片（１３３）を内部方向に撓ませて二次係合手段を係合解除することにより一次係合手段の係合を解除可能状態にする。
2009008118.tif 000002
【特許請求の範囲】
【請求項１】
画像表示面を有するパネル状の第１の筐体と、ヒンジにより第１の筐体を開閉可能に支持する第２の筐体からなり、第１の筐体を第２の筐体側に閉じた際に、第１の筐体の前記ヒンジ取り付け側と反対の側面部に設けた矩形係止孔に第２の筐体に設けた解除操作可能な可動型係止爪を挿入係止して第２の筐体が第１の筐体を保持した開閉型表示装置において、
フレームカバーと裏面カバーとで構成した前記第一の筐体は、
少なくとも前記ヒンジ取り付け側の衝合縁部に設けられ、当該衝合縁部間を係合する複数の一次係合手段と、
前記矩形係止孔の内部正面に位置し、前記カバーの一方から他方に向かって延びる可撓性片を有し、当該可撓性片の遊端で他方のカバーに係合する二次係合手段を備え、
前記一次係合手段と二次係合手段の両係合により前記フレームカバーと裏面カバーを結合する嵌合状態とし、一方、前記矩形係止孔に治具を挿入して前記可撓性片を内部方向に撓ませて前記二次係合手段を係合解除することにより前記一次係合手段の係合を解除可能状態にすることを特徴とする開閉型表示装置。
【請求項２】
一次係合手段は、矩形係止孔側のフレームカバーと裏面カバーの衝合縁部にも設けられたことを特徴とする請求項１記載の開閉型表示装置。
【請求項３】
一次係合手段は、かまぼこ形状の突部と、当該突部に係合する枠部を有したことを特徴とする請求項１記載の開閉型表示装置。
【請求項４】
二次係合手段は、可撓性片の遊端に設けた鉤部と、当該鉤部を係合する角片部を有したことを特徴とする請求項１記載の開閉型表示装置。
【請求項５】
二次係合手段は、可撓性片の遊端に設けた矩形枠と、当該矩形枠に挿入する角突起部を有したことを特徴とする請求項１記載の開閉型表示装置。
【請求項６】
フレームカバーと裏面カバーは、一次係合手段および二次係合手段の形成位置を除いた衝合縁部の任意の位置に互いに噛み合う係合部を有したことを特徴とする請求項１記載の開閉型表示装置。
【発明の詳細な説明】
【技術分野】
【０００１】
この発明は、画像表示面を有する第１の筐体をヒンジにより第２の筐体で開閉可能に支持する開閉型表示装置の筐体構造に関するものである。
【背景技術】
【０００２】
ノート型パソコンや車内天井に取り付ける車載用の開閉型表示装置は、液晶パネルなどの画像表示面を有する第１の筐体と、ヒンジにより第１の筐体を開閉可能に支持する第２の筐体で構成されている。このような開閉型表示装置の第１の筐体は液晶パネルなどの表示部材を収容するフレームカバーと裏面カバーから構成されているが、両カバーの結合は故障時の分解を考慮してネジ止めによるのが一般的方法である。しかし、ネジ止め構造は、ネジ数により作業工数が増えるのと、露出するネジ止め部分の見映えが悪いためにネジ隠しのシート貼りが必要となるなど、コストアップの要因となっていた。そのため、今日では両カバーを突き合わせる縁部（以下、衝合縁部とする。）に係合爪構造などの係合手段を用いたものがある（例えば特許文献１参照）。係合爪は、合成樹脂の筐体の作成時に一体成形できるため部品点数を削減し、組み立てが容易で、かつデザイン上も有利であるので、今日では多く用いられている。また、係合爪構造の場合、筐体を構成する２つのカバーの係合手段を設けた衝合縁部に切欠穴を設け、この切欠穴に治具を挿入して係合爪を持つ可撓性片をその係止部から解除することにより、組み立てた筐体を容易に分解できるようにする方法も採り入れられている（例えば特許文献２参照）。【０００３】
【特許文献１】特開平９−２４６７７２号公報
【特許文献２】特開２００７−１３２４９号公報
【０００４】
以上のように、２つの合成樹脂性製のカバーを、一体成型した係合手段により結合して組み立てる筐体の構造の場合、修理時に係合状態を解除するための治具の挿入穴が必要である。このような挿入穴は、民生機器などの場合、比較的小さい形状にしてあるが、外装面に露出しているためデザイン上目立つことがあり、また、ユーザが勝手にドライバーなどを挿入して筐体を分解し、内部をいじるなどの不都合が生じる恐れがある。そのため、治具の挿入穴はできる限り確認しにくい位置に設けておくことが必要である。【０００５】
この発明は、上記問題点を解決するためになされたもので、筐体を分解するための治具の挿入穴を容易に確認できない位置に設けるようにした筐体構造の開閉型表示装置を得ることを目的とする。
【発明の開示】
【０００６】
この発明に係る開閉型表示装置は、画像表示面を有するパネル状の第１の筐体と、ヒンジにより第１の筐体を開閉可能に支持する第２の筐体からなり、第１の筐体を第２の筐体側に閉じた際に、第１の筐体の前記ヒンジ取り付け側と反対の側面部に設けた矩形係止孔に第２の筐体に設けた解除操作可能な可動型係止爪を挿入係止して第２の筐体が第１の筐体を保持した開閉型表示装置において、フレームカバーと裏面カバーとで構成した前記第一の筐体は、少なくともヒンジ取り付け側の衝合縁部に設けられ、当該衝合縁部間を係合する複数の一次係合手段と、矩形係止孔の内部正面に位置し、カバーの一方から他方に向かって延びる可撓性片を有し、当該可撓性片の遊端で他方のカバーに係合する二次係合手段を備え、一次係合手段と二次係合手段の両係合によりフレームカバーと裏面カバーを結合する嵌合状態とし、一方、矩形係止孔に治具を挿入して可撓性片を内部方向に撓ませて二次係合手段を係合解除することにより一次係合手段の係合を解除可能状態にするものである。
【０００７】
この発明によれば、第１の筐体を保持するために第２の筐体の可動型係止爪を挿入係止する第１の筐体に設けた矩形係止孔を、第１の筐体を分解するための治具の挿入穴として兼用できる構造としたため、デザイン上目立つことがない。また、治具挿入穴として容易に確認できないため、ユーザが勝手にドライバーなどを挿入して筐体を分解する恐れも少なくすることができる。
【図面の簡単な説明】
【０００８】
【図１】この発明の実施の形態１による開閉型表示装置の外観を示す斜視図である。
【図２】ディスプレイユニットの合成樹脂性構造体部分の外観を示す斜視図である。
【図３】この発明の実施の形態１に係る表示パネルの筐体内構造を示す斜視図である。
【図４】この発明の実施の形態１に係る鉤部と角片部の係合状態を示す断面図である。
【図５】この発明の実施の形態１に係る開閉型表示装置の閉状態を示す正面図である。
【図６】この発明の実施の形態１に係る表示パネルの各部の組み立て状態を示す断面図である。
【図７】この発明の実施の形態１に係る表示パネルの分解方法を示す説明図である。
【図８】この発明の実施の形態１に係る他の係合構造例を示す切欠斜視図である。
【図９】この発明の実施の形態１に係る他の係合構造による係合状態を示す断面図である。
【発明を実施するための最良の形態】
【０００９】
以下、この発明をより詳細に説明するために、この発明を実施するための最良の形態について、添付の図面に従って説明する。
実施の形態１．
図１は、この発明の実施の形態１による開閉型表示装置の外観を示す斜視図である。この図の開閉型表示装置は車載用で、車両の天井に取り付けられたディスプレイユニット２０から表示パネル１０が開いた使用状態を表している。図２は、ディスプレイユニット２０の合成樹脂性構造体部分の外観を示す斜視図である。
表示パネル（第１の筐体）１０は、周知のように、液晶パネルなどの画像表示面１１を有し、長手方向の側面部１０ａの両端に取り付けたヒンジ４０によりディスプレイユニット（第２の筐体）２０に対して回転可能に支持されている。すなわち、表示パネル１０は、ヒンジ４０の軸４１を支点として他方の側面部１０ｂが弧を描くように回転するようになっている。また、表示パネル１０は、表示部材を収容するフレームカバー１２と裏面カバー１３からなる合成樹脂製の筐体である。【００１０】
ディスプレイユニット２０は、合成樹脂性の構造体を有し、表示パネル１０を閉じたときの収容スペースを形成するパネル収容部２１と、このパネル収容部２１と一体の操作ボックス２２を持つ。また、ディスプレイユニット２０は、背面にネジで結合した板金製のベースプレート３０を持つ。ベースプレート３０は、上記ヒンジ４０を固定し、また、ネジにより車両の天井部材に固定されるようになっている。操作ボックス２２は、パネル収容部２１に面した側面部２２１に弾性部材で外側方向に付勢された可動型係止爪２３を備えている。この可動型係止爪２３は、表示パネル１０がパネル収容部２１に収容された時に、表示パネル１０のヒンジ４０の取り付け側と反対の側面部１０ｂに設けられた矩形係止孔１４に爪部２３１を挿入係止して、表示パネル１０が自重により開かないようにロックして保持する。一方、表示パネル１０を開く時には、オープン釦２４を押すことにより、可動型係止爪２３のロック状態を解除可能にする。なお、この機構は一般的に用いられているものである。また、操作ボックス２２には、その他、ディスプレイで映像や音声を楽しむための各種操作キーやリモコン受信部などが取り付けられるが、この発明の内容と直接関係しないので、ここでは図、説明とも省略する。【００１１】
図３は、この発明の実施の形態１に係る表示パネルの筐体内構造を示す斜視図である。ここでは、この発明に関係する部分についてのみ説明するため、液晶パネルやその周辺回路部品などの表示部材の取付構造については省略して示す。
表示パネル１０において、フレームカバー１２の長手方向の一対の衝合縁部１２ａ，１２ｂの所定位置には、表示パネル１０の内側に向かう複数個のかまぼこ形状の突部１２１ａ，１２１ｂを設けている。また、衝合縁部１２ｂの中央に設けられた矩形係止孔１４には、内部方向に延びるように角片部１２２を設けている。一方、裏面カバー１３の長手方向の一対の衝合縁部１３ａ，１３ｂには、フレームカバー１２側の突部１２１ａ，１２１ｂと対向する位置に枠部１３１ａ，１３１ｂが設けられている。また、衝合縁部１２ｂの中央に設けられた矩形係止孔１４の内部正面には、フレームカバー１２の角片部１２２側に向かって立ち上がる可撓性片１３３を有し、可撓性片１３３の遊端には鉤部１３２が設けられている。ここで、突部１２１ａ，１２１ｂと枠部１３１ａ，１３１ｂはこの発明における一次係合手段を構成し、また、角片部１２２と鉤部１３２は二次係合手段を構成するものとする。さらに、フレームカバー１２および裏面カバー１３の衝合縁部には、互いに噛み合う形状の係合部１２０，１３０が必要に応じて設けられている。【００１２】
図３において、表示パネル１０の筐体組み立ては、表示部材やヒンジ用の回動シャフトを装着してフレームカバー１２と裏面カバー１３を衝合し嵌合することで行われる。順序としては、まず、裏面カバー１３の衝合縁部１３ａの枠部１３１ａにフレームカバー１２の衝合縁部１２ａの突部１２１ａを係合させる。次に、裏面カバー１３の衝合縁部１３ｂの鉤部１３２をフレームカバー１２の衝合縁部１２ｂの角片部１２２に係合させる。この鉤部１３２が角片部１２２に係合する際に、突部１２１ｂも枠部１３１ｂに係合される。この場合、突部１２１ａ，１２１ｂと枠部１３１ａ，１３１ｂ(すなわち一次係合手段)による係合状態は、これだけではフレームカバー１２と裏面カバー１３を分解しえる比較的ゆるい結合である。一方、鉤部１３２と角片部１２２（すなわち二次係合手段）による係合状態は、図４に示すように強固な係合状態（ロック状態）を形成するため、一次係合手段と相俟ってフレームカバー１２と裏面カバー１３の嵌合状態を形成する。したがって、二次係合手段の係合状態を解除しない限り、表示パネル１０を容易に分解することは不可能となる。なお、表示パネルのサイズが小さい携帯機器のような場合には筐体歪みも少ないので、矩形係止孔１４が設けられている側の衝合縁部１２ｂ，１３ｂにおける突部１２１ｂ、枠部１３１ｂは省略してもよい。【００１３】
次に、開閉型表示装置の閉状態を図５に示し、表示パネルの各部の組み立て状態を図６に示す。図６（ａ）は、図５のＡ−Ａ断面図で、ディスプレイユニット２０の可動型係止爪２３の爪部２３１が表示パネル１０の矩形係止孔１４に係合し、ディスプレイユニット２０が表示パネル１０を収納保持しているロック状態を表している。また、裏面カバー１３の鉤部１３２とフレームカバー１２の角片部１２２の係合状態を表している。図６（ｂ）は、図５のＢ−Ｂ断面図で、フレームカバー１２の突部１２１ｂと裏面カバー１３の枠部１３１ｂの係合状態を表している。図６（ｃ）は、図５のＣ−Ｃ断面図で、フレームカバー１２の突部１２１ａと裏面カバー１３の枠部１３１ａの係合状態を表している。【００１４】
表示パネル１０を分解する場合は、図７に示すように、矩形係止孔１４に治具５０を挿入して行う。鉤部１３２の可撓性片１３３を表示パネル１０の内部方向に押圧ｆ１すると、鉤部１３２が角片部１２２から外れる。この状態で裏面カバー１３にフレームカバー１２と反対方向の力ｆ２を与えると、裏面カバー１３はフレームカバー１２から分離する。この場合、裏面カバー１３がフレームカバー１２から離れるに従って、他の突部１２１ａ，１２１ｂと枠部１３１ａ，１３１ｂの係合状態も解除される。
したがって、表示パネル１０の分解は、表示パネル１０をディスプレイユニット２０で保持するための可動型係止爪２３に対する矩形係止孔１４に治具を挿入して行えるため、治具の挿入穴を別途設けなくても済む。【００１５】
なお、二次係合手段である角片部１２２と鉤部１３２を設ける位置は、フレームカバー１２と裏面カバー１３で入れ替えてよい。また、二次係合手段は、角片部１２２と鉤部１３２の組み合せではなく、別の構造、例えば図８および図９に示すように、可撓性片１３４の遊端に設けられた矩形枠１３５と角突起部１２５としてもよい。【００１６】
以上のように、この実施の形態１によれば、表示パネル１０を保持するためにディスプレイユニット２０の可動型係止爪を挿入係止する表示パネル１０に設けた矩形係止孔を、表示パネル１０を分解するための治具の挿入穴として兼用できる構造としたため、デザイン上目立つことがない。また、治具挿入穴として容易に確認できないため、ユーザが勝手にドライバーなどを挿入して筐体を分解する恐れも少なくすることができる。
【産業上の利用可能性】
【００１７】
以上のように、この発明に係る開閉型表示装置は、筺体を分解するための治具の挿入穴を容易に確認できない位置に設けるようにしたので、第１の筺体と第２の筺体とを組み合わせて構成され、車内天井に設置される車載用の表示装置などに用いるのに適している。
【図１】
2009008118.tif 000003
【図２】
2009008118.tif 000004
【図３】
2009008118.tif 000005
【図４】
2009008118.tif 000006
【図５】
2009008118.tif 000007
【図６】
2009008118.tif 000008
【図７】
2009008118.tif 000009
【図８】
2009008118.tif 000010
【図９】
2009008118.tif 000011
【国際調査報告】
2009008118.tif 000012
2009008118.tif 000013
2009008118.tif 000014
2009008118.tif 000015